(57)【要約】【課題】利用者インタフェースが限定された情報家電製品に対して、ネットワーク情報および該情報家電製品のための制御情報を簡易に設定するための情報家電製品に対するサービス制御及び機器制御方法または装置を提供する。【解決手段】利用者１の移動情報通信端末４または情報通信端末５からサービス要求が送信され、サービス提供事業者６が管理するサービス制御サーバ７のサービス制御を介して、情報家電製品１６，２５がサービスを受けるものである。例えば、情報家電メーカ１９が管理するサーバから利用するための識別情報または認証情報と、コンテンツサービスを受けるためのコンテンツ提供事業者２２が管理するサーバを利用するためのチケットと、が要求され、それらの情報を移動情報通信端末４または情報通信端末５内に入手した後、近距離無線通信を介して利用者宅内あるいは出先に設置された情報家電製品１６，２５に対して設定するものである。【選択図】図１
2007004579.tif 000002
【特許請求の範囲】
【請求項１】
移動情報通信端末もしくは情報通信端末及びネットワーク上のサービスを受けることが可能な情報家電製品が接続されたネットワークにおいて、該移動情報通信端末もしくは情報通信端末を介して、サービス制御を行う対情報家電製品サービス制御方法であって、
利用者認証を成功させた前記移動情報通信端末または情報通信端末からの前記情報家電製品に関するサービス要求を該サービス要求に対応する手段が受け、
該手段からの該サービス要求に対する結果を、該前記移動情報通信端末または情報通信端末を介して、該情報家電製品が受ける手順を含むことを特徴とする対情報家電製品サービス制御方法。
【請求項２】
前記の移動情報通信端末または情報通信端末に読み取らせた利用者認証情報に基づいて利用者認証処理手段が利用者認証を行うステップと、
前記の利用者認証を成功させた移動情報通信端末または情報通信端末から要求される識別情報または認証情報設定サービスを、前記サービス制御手段を介し機器制御要求処理手段にて受けるステップと、
前記の利用者認証を成功させた移動情報通信端末または情報通信端末から送信される前記の情報家電製品の機器識別情報を、前記のサービス制御手段を介し機器制御要求処理手段にて受けるステップと、
前記の機器制御要求処理手段が前記の機器識別情報に基づいて、識別情報または認証情報を作成するステップと、
前記の機器制御要求処理手段で作成された識別情報または認証情報を、前記のサービス制御手段を介して、前記の利用者認証を成功させた移動情報通信端末または情報通信端末から情報家電製品に対して送信させるステップと、
前記の利用者認証を成功させた移動情報通信端末または情報通信端末から要求されるチケット取得サービスを、サービス制御手段を介しチケット発行処理手段にて受けるステップと、
前記の利用者認証を成功させた移動情報通信端末または情報通信端末から送信される前記の情報家電製品の機器識別情報を、サービス制御手段にて受けるステップと、
前記のチケット発行処理手段が、チケットを発行するステップと、
前記のチケット発行処理手段から発行されたチケットを、前記のサービス制御手段を介して、前記の利用者認証を成功させた移動情報通信端末または情報通信端末から情報家電製品に対して送信させるステップと、
を有することを特徴とする請求項１に記載の対情報家電製品サービス制御方法。
【請求項３】
前記の移動情報通信端末または情報通信端末と、情報家電製品と、に備えられた通信手段によって、該移動情報通信端末または情報通信端末から該情報家電製品に対し、前記の識別情報または認証情報またはチケットを設定することを特徴とする請求項１または２に記載の対情報家電製品サービス制御方法。
【請求項４】
移動情報通信端末もしくは情報通信端末及びネットワーク上のサービスを受けることが可能な情報家電製品が接続されたネットワークにおいて、該移動情報通信端末もしくは情報通信端末を介して、該情報家電製品を制御する情報家電製品制御方法であって、
前記の移動情報通信端末または情報通信端末に読み取らせた利用者認証情報に基づいて利用者認証処理手段が利用者認証を行うステップと、
前記の利用者認証を成功させた移動情報通信端末または情報通信端末から送信される情報家電製品の機器識別情報を、前記のサービス制御手段を介し機器制御要求処理手段にて受けるステップと、
前記の利用者認証を成功させた移動情報通信端末または情報通信端末から要請される情報家電製品の機器制御サービスを、前記のサービス制御手段を介し、機器制御要求処理手段が受け、該情報家電製品に対して認証を行うステップと、
前記の情報家電製品に対する認証を成功させた機器制御要求処理手段が、前記機器識別情報に基づいた制御メッセージを構築し、該情報家電製品に対して該制御メッセージを送信し、該情報家電製品を制御するステップと、
を有することを特徴とする情報家電製品制御方法。
【請求項５】
移動情報通信端末または情報通信端末，ネットワーク上のサービスを受けることが可能な情報家電製品が接続されたネットワークにおいて、該ネットワーク内で通信を行うための通信手段を介して、該サービスを制御するサービス制御サーバ装置であって、
前記の移動情報通信端末または情報通信端末から送信された利用者認証情報と、利用情報管理手段から取得した利用者認証情報と、に基づいて利用者認証を行う利用者認証処理手段と、
前記の移動情報通信端末または情報通信端末を介して、前記の情報家電製品が利用可能なサービスを選択させ、該情報家電製品の機器識別情報を読み取る手段と、
前記の選択されたサービスに対応する手段に対して該サービスを依頼し、該サービスの結果を取得し、該結果を前記の移動情報通信端末または情報通信端末に対して提示するサービス制御手段と、
前記の利用者情報を保管し、前記の利用者認証処理手段に対して該利用者情報を提示する利用情報管理手段と、
を有することを特徴とするサービス制御サーバ装置。
【請求項６】
課金処理を行う手段を含むことを特徴とする請求項５に記載のサービス制御サーバ装置。
【請求項７】
前記の情報家電製品と前記のサービス制御サーバ装置の間に配置したゲートウェイを介して、通信を行う手段を有することを特徴とする請求項５または６に記載のサービス制御サーバ装置。
【請求項８】
前記の情報家電製品または前記のゲートウェイと前記のサービス制御サーバ装置間で、暗号化通信を行う手段を有することを特徴とする請求項５乃至７のいずれかに記載のサービス制御サーバ装置。
【請求項９】
情報家電製品が接続されたネットワークにおいて、該ネットワーク内で通信を行うための通信手段を介して、情報家電製品を制御する情報家電製品制御サーバ装置であって、
機器制御要求処理手段から受けた機器識別情報に基づいて、識別情報または認証情報を前記の情報家電製品に対して生成し、該識別情報または認証情報を機器制御要求処理手段に送る設定情報構築手段と、
前記の設定情報構築手段によって生成された識別情報または認証情報を格納し、さらに、認証手段に提示する機器情報保管手段と、
機器制御要求処理手段からの制御要求によって、前記の機器情報保管手段から取得した識別情報または認証情報に基づいた認証を前記の情報家電製品から受け、該情報家電製品に対する制御メッセージを構築し、該制御メッセージを前記の通信手段を介して、該情報家電製品に対して送信し、該情報家電製品を制御する機器制御処理手段と、
サービス制御手段から受けた機器識別情報を設定情報構築手段に送り、該設定情報構築手段から返された機器識別情報または認証情報を前記の通信手段を介して、該識別情報または認証情報を移動情報通信端末または情報通信端末に送付する手順と、サービス制御手段から制御要求を受けた後、該情報家電製品から前記の認証手段によって認証を受けて、該制御要求を前記の機器制御処理手段に送る手順と、を含む機器制御要求処理手段と、
を有することを特徴とする情報家電製品制御サーバ装置。
【請求項１０】
移動情報通信端末または情報通信端末が接続されたネットワークにおいて、該ネットワーク内で通信を行うための通信手段を介して、サービス利用権情報を含むチケットを管理するチケット管理サーバ装置であって、
前記チケットを発行し、通信手段を介して、前記の移動情報通信端末または情報通信端末に向けて前記チケットを送付するチケット発行処理手段と、
前記チケット発行処理手段で発行されたチケットを格納するチケット保管手段と、
通信手段を介して受信したチケットを、チケット保管手段から取得したチケットに基づいて、サービス利用権が有効か否かを検証するサービス認証処理手段と、
を有することを特徴とするチケット管理サーバ装置。
【発明の詳細な説明】
【技術分野】
【０００１】
本発明は、サービス制御及び機器制御方法または装置であって、例えば、情報家電製品に対するサービス制御及び機器制御方法または装置に関するものである。
【背景技術】
【０００２】
従来、パーソナルコンピュータ及びＰＤＡ（Ｐｅｒｓｏｎａｌ  Ｄｉｇｉｔａｌ  Ａｓｓｉｓｔａｎｃｅ）などの情報通信端末は、モニタやキーボードなどの利用者インタフェース機能を有する装置を備えているが、情報家電製品（あるいは、センサ付き製品）などは、前記のような十分な利用者インタフェース機能を有していないこと（利用者インタフェースが簡素であること）が多い。この情報家電製品の利用者は、ネットワーク上のサービス（例えば、ＩＰ（Ｉｎｔｅｒｎｅｔ  Ｐｒｏｔｏｃｏｌ）接続サービスや各種アプリケーションサービス）を受ける場合、該サービスを受ける上で必要となる認証情報（例えば、識別子，パスワード）の設定及びアプリケーションサーバアドレスの設定を前記情報家電製品に対して行う必要があるため、煩雑な操作を伴いながらも、それらの設定を該情報家電製品以外の機器を介して行っている。例えば、前記情報家電製品に付属しているリモコンを介して設定したり、前記のパーソナルコンピュータのような機器を介して設定している。
【０００３】
また、モバイルＩＰを用いた公衆無線ＬＡＮ（Ｌｏｃａｌ  Ａｒｅａ  Ｎｅｔｗｏｒｋ）アクセスサービスには、前記のような煩雑な操作を軽減する技術が知られている。例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）  ８０２．１ｘ規格を応用したアクセス認証処理時に接続遅延制御を狙って、情報通信端末と認証サーバ間で動的に生成する共有秘密鍵を情報通信端末とネットワーク装置間の相互認証に対しても適用することによって、事前に秘密鍵を共有せずに共有秘密鍵認証を実現するという方式が知られている（例えば、非特許文献１参照）。
【０００４】
さらに、他の方式としては、通信相手の位置公開鍵を不要とし、且つ、手順を簡略化する鍵交換方式を検討し、主情報暗号化のためのＳＩＰ（Ｓｅｓｓｉｏｎ  Ｉｎｉｔｉａｔｉｏｎ  Ｐｒｏｔｏｃｏｌ）サーバを利用した鍵交換方式も提案されている（例えば、非特許文献２参照）。
【０００５】
その他にも、サービス提供事業者と、ネットワークを介して接続する複数の個別ネットワークと、で構成され、さらに、該個別ネットワークが複数の制御媒体装置，統括制御部，パーソナルコンピュータシステム，ルータで構成されたホームネットワークシステムにおいて、該サービス提供事業者が該個別ネットワークシステムの機器診断と、機器の履歴情報を含む機器情報と、を統括的に管理し、該個別ネットワークの統括制御部が、パーソナルコンピュータとの間で、該制御媒体装置の操作とモニタに関する情報を送受信し、該制御媒体装置から発信されたエラー信号を前記サービス会社に送信する方式（例えば、特許文献１参照）が知られている。
【０００６】
以上のように非特許文献１，２で説明される方式は、利用者が、移動情報通信端末と認証サーバ（あるいは、ＳＩＰサーバ）間とで予め認証情報を共有していること、が前提となっている方式である。また、特許文献１で説明される方式は、個別ネットワークシステムの機器診断と機器の履歴情報設定を可能としている点が特徴的な方式である。
【特許文献１】特開２００４−２８７６４１（段落［００４２］〜［００４３］等）。
【非特許文献１】柳谷  真由美、外３名，「８０２．１ｘと連携したセキュアアクセス方式の提案」，電子情報通信学会技報，社団法人  電子情報通信学会，平成１５年１０月１６日，第１０３巻，第３８５号，ｐ．９−１２。
【非特許文献２】小野  久美子、外２名，「Ｅｎｄ−ｔｏ−Ｅｎｄセキュア通信におけるＳＩＰサーバを利用した鍵交換方式」，「２００３年総合大会講演論文集」通信２，社団法人  電子情報通信学会，平成１５年３月３日，ｐ．１５４。
【発明の開示】
【発明が解決しようとする課題】
【０００７】
上述のような情報家電製品の制御方式においては、利用者インタフェースを限定された情報家電製品（例えば、十分な利用者インタフェースを備えていない情報家電製品）でネットワーク上のサービスを利用するために必要な情報を設定する場合、多様で困難な設定操作を行わなければならず、利便性に欠けているものであった。
【０００８】
また、利用者が出先に情報家電製品を持ち出して、ＩＰ通信サービスやコンテンツ視聴などのサービスを受ける際には、ユーザ識別情報，認証情報，サーバアドレスの設定が必要となる。そして、それらの設定を直接入力する際に、ユーザプライバシが露呈されるという問題が生じることにもなっていた。
【０００９】
本発明は、前記課題に基づいてなされたものであり、利用者インタフェースを限定された情報家電製品に対して、該情報家電製品がネットワーク上のサービスを利用するために必要な情報および該情報家電製品を制御するための情報を簡易に設定するための情報家電製品に対するサービス制御及び機器制御方法または装置を提供することにある。
【課題を解決するための手段】
【００１０】
本発明は、前記課題の解決を図るために、請求項１記載の発明は、移動情報通信端末もしくは情報通信端末及びネットワーク上のサービスを受けることが可能な情報家電製品が接続されたネットワークにおいて、該移動情報通信端末もしくは情報通信端末を介して、サービス制御を行う対情報家電製品サービス制御方法であって、利用者認証を成功させた前記移動情報通信端末または情報通信端末からの該情報家電製品に関するサービス要求を該サービス要求に対応する手段が受け、該手段からの該サービス要求に対する結果を、該前記移動情報通信端末または情報通信端末を介して、該情報家電製品が受ける手順を含むことを特徴とする。
【００１１】
請求項２記載の発明は、請求項１記載の発明において、前記の移動情報通信端末または情報通信端末に読み取らせた利用者認証情報に基づいて利用者認証処理手段が利用者認証を行うステップと、前記の利用者認証を成功させた移動情報通信端末または情報通信端末から要求される識別情報または認証情報設定サービスを、前記サービス制御手段を介し機器制御要求処理手段にて受けるステップと、前記の利用者認証を成功させた移動情報通信端末または情報通信端末から送信される前記の情報家電製品の機器識別情報を、前記のサービス制御手段を介し機器制御要求処理手段にて受けるステップと、前記の機器制御要求処理手段が前記の機器識別情報に基づいて、識別情報または認証情報を作成するステップと、前記の機器制御要求処理手段で作成された識別情報または認証情報を、前記のサービス制御手段を介して、前記の利用者認証を成功させた移動情報通信端末または情報通信端末から情報家電製品に対して送信させるステップと、前記の利用者認証を成功させた移動情報通信端末または情報通信端末から要求されるチケット取得サービスを、サービス制御手段を介しチケット発行処理手段にて受けるステップと、前記の利用者認証を成功させた移動情報通信端末または情報通信端末から送信される前記の情報家電製品の機器識別情報を、サービス制御手段にて受けるステップと、前記のチケット発行処理手段が、チケットを発行するステップと、前記のチケット発行処理手段から発行されたチケットを、前記のサービス制御手段を介して、前記の利用者認証を成功させた移動情報通信端末または情報通信端末から情報家電製品に対して送信させるステップと、を有することを特徴とする。
【００１２】
請求項３記載の発明は、請求項１または２記載の発明において、前記の移動情報通信端末または情報通信端末と、情報家電製品と、に備えられた通信手段によって、該移動情報通信端末または情報通信端末から該情報家電製品に対し、前記の識別情報または認証情報またはチケットを設定することを特徴とする。
【００１３】
請求項４記載の発明は、移動情報通信端末もしくは情報通信端末及びネットワーク上のサービスを受けることが可能な情報家電製品が接続されたネットワークにおいて、該移動情報通信端末もしくは情報通信端末を介して、該情報家電製品を制御する情報家電製品制御方法であって、前記の移動情報通信端末または情報通信端末に読み取らせた利用者認証情報に基づいて利用者認証処理手段が利用者認証を行うステップと、前記の利用者認証を成功させた移動情報通信端末または情報通信端末から送信される情報家電製品の機器識別情報を、前記のサービス制御手段を介し機器制御要求処理手段にて受けるステップと、前記の利用者認証を成功させた移動情報通信端末または情報通信端末から要請される情報家電製品の機器制御サービスを、前記のサービス制御手段を介し、機器制御要求処理手段が受け、該情報家電製品に対して認証を行うステップと、前記の情報家電製品に対する認証を成功させた機器制御要求処理手段が、前記機器識別情報に基づいた制御メッセージを構築し、該情報家電製品に対して該制御メッセージを送信し、該情報家電製品を制御するステップと、を有することを特徴とする。
【００１４】
請求項５記載の発明は、移動情報通信端末または情報通信端末，ネットワーク上のサービスを受けることが可能な情報家電製品が接続されたネットワークにおいて、該ネットワーク内で通信を行うための通信手段を介して、該サービスを制御するサービス制御サーバ装置であって、前記の移動情報通信端末または情報通信端末から送信された利用者認証情報と、利用情報管理手段から取得した利用者認証情報と、に基づいて利用者認証を行う利用者認証処理手段と、前記の移動情報通信端末または情報通信端末を介して、前記の情報家電製品が利用可能なサービスを選択させ、該情報家電製品の機器識別情報を読み取る手段と、前記の選択されたサービスに対応する手段に対して該サービスを依頼し、該サービスの結果を取得し、該結果を前記の移動情報通信端末または情報通信端末に対して提示するサービス制御手段と、前記の利用者情報を保管し、前記の利用者認証処理手段に対して該利用者情報を提示する利用情報管理手段と、を有することを特徴とする。
【００１５】
請求項６記載の発明は、請求項５記載の発明において、課金処理を行う手段を含むことを特徴とする。
【００１６】
請求項７記載の発明は、請求項５または６に記載の発明において、前記の情報家電製品と前記のサービス制御サーバ装置の間に配置したゲートウェイを介して、通信を行う手段を有することを特徴とする。
【００１７】
請求項８記載の発明は、請求項５乃至７のいずれかに記載の発明において、前記の情報家電製品または前記のゲートウェイと前記のサービス制御サーバ装置間で、暗号化通信を行う手段を有することを特徴とする。
【００１８】
請求項９記載の発明は、情報家電製品が接続されたネットワークにおいて、該ネットワーク内で通信を行うための通信手段を介して、情報家電製品を制御する情報家電製品制御サーバ装置であって、機器制御要求処理手段から受けた機器識別情報に基づいて、識別情報または認証情報を前記の情報家電製品に対して生成し、該識別情報または認証情報を機器制御要求処理手段に送る設定情報構築手段と、前記の設定情報構築手段によって生成された識別情報または認証情報を格納し、さらに、認証手段に提示する機器情報保管手段と、機器制御要求処理手段からの制御要求によって、前記の機器情報保管手段から取得した識別情報または認証情報に基づいた認証を前記の情報家電製品から受け、該情報家電製品に対する制御メッセージを構築し、該制御メッセージを前記の通信手段を介して、該情報家電製品に対して送信し、該情報家電製品を制御する機器制御処理手段と、サービス制御手段から受けた機器識別情報を設定情報構築手段に送り、該設定情報構築手段から返された機器識別情報または認証情報を前記の通信手段を介して、該識別情報または認証情報を移動情報通信端末または情報通信端末に送付する手順と、サービス制御手段から制御要求を受けた後、該情報家電製品から前記の認証手段によって認証を受けて、該制御要求を前記の機器制御処理手段に送る手順と、を含む機器制御要求処理手段と、を有することを特徴とする。
【００１９】
請求項１０記載の発明は、移動情報通信端末または情報通信端末が接続されたネットワークにおいて、該ネットワーク内で通信を行うための通信手段を介して、サービス利用権情報を含むチケットを管理するチケット管理サーバ装置であって、前記チケットを発行し、通信手段を介して、前記の移動情報通信端末または情報通信端末に向けて前記チケットを送付するチケット発行処理手段と、前記チケット発行処理手段で発行されたチケットを格納するチケット保管手段と、通信手段を介して受信したチケットを、チケット保管手段から取得したチケットに基づいて、サービス利用権が有効か否かを検証するサービス認証処理手段と、を有することを特徴とする。
【００２０】
なお、本発明では、前記のサービス制御手段は、自動的に、選択されたサービス項目に対応する手段に対して該サービスを依頼し、該サービスの結果を取得し、該結果を提示する装置またはプログラムである。
【００２１】
前記の利用者認証処理手段は、外部から送信された利用者認証情報（例えば、利用者ＩＤ，パスワード）と、内部で管理されている利用者認証情報と、に基づいて、自動的に、利用者認証（例えば、パスワード照合）を行う装置またはプログラムである。
【００２２】
前記の機器制御要求処理手段は、自動的に、前記のサービス制御手段から受けた機器識別情報（例えば、型番号，製造番号）に対する設定情報（例えば、ＩＰアドレス）を構築して返信し、サービス制御手段から受けた制御要求に対する制御メッセージを構築し、制御対象となる情報家電製品から認証を受けて、該情報家電製品に対して該制御メッセージを送信する装置またはプログラムである。
【００２３】
前記のチケット発行手段は、自動的に、チケットを発行し、チケットを要求した者に向けて該チケットを送付する装置またはプログラムである。なお、前記のチケットは、例えば、サービスに対する課金が完了していることを示し、該サービスに対する利用権を有するチケットである。
【００２４】
前記の課金処理は、例えば、利用者認証が成功した直後に、課金開始時間を課金サーバに送信し、課金を行っても良い。
【００２５】
また、前記の請求項１記載の発明によれば、前記の移動情報通信端末または情報通信端末からのサービス要求を振り分けることができる。また、前記の移動情報通信端末または情報通信端末でも、振り分けられたサービス要求の結果を受けることができる。
【００２６】
前記の請求項２記載の発明によれば、前記の移動情報通信端末または情報通信端末を介して、利用者認証を行うことができる。
【００２７】
前記の請求項３記載の発明によれば、前記の移動情報通信端末または情報通信端末は、識別情報もしくは認証情報またはチケットを受信することができる。
【００２８】
前記の請求項４記載の発明によれば、前記の情報家電製品は、制御メッセージを受けて動作することができる。
【００２９】
前記の請求項５記載の発明によれば、サービスを利用する利用者情報を保管し、サービスを利用しようとする者に対する認証結果を得ることができる。
【００３０】
前記の請求項６記載の発明によれば、サービス制御サーバ装置で課金処理を行うことができる。
【００３１】
前記の請求項７記載の発明によれば、前記のゲートウェイによって、宅内と広域のネットワークを区別することができる。
【００３２】
前記の請求項８記載の発明によれば、前記の情報家電製品もしくは前記のゲートウェイと前記のサービス制御サーバ装置間で通信を秘匿することができる。
【００３３】
前記の請求項９記載の発明によれば、情報家電製品制御サーバ装置は、前記の機器識別情報に基づいて、前記の制御メッセージを構築し、前記の情報家電製品に該制御メッセージを送信することができる。
【００３４】
前記の請求項１０記載の発明によれば、チケット管理サーバ装置は、移動情報通信端末または情報通信端末にチケットを送付でき、さらに、チケットのサービス利用権に関する有効性を検証することができる。
【発明の効果】
【００３５】
請求項１に記載の発明によれば、利用者インタフェースを限定された情報家電製品に対して、ネットワーク上のサービスを利用するための情報を、簡便に設定することができる。また、ユーザ識別情報，認証情報，サーバアドレスなどの設定を行う際でも、ユーザプライバシの露呈を防ぐことができる。
【００３６】
請求項２に記載の発明によれば、前記の移動情報通信端末または情報通信端末によって、情報家電製品に対し、前記の識別情報もしくは認証情報またはチケットを設定することができる。
【００３７】
請求項３に記載の発明によれば、前記の移動情報通信端末または情報通信端末によって、識別情報もしくは認証情報またはチケットを情報家電製品に送信することができる。
【００３８】
請求項４に記載の発明によれば、前記の移動情報通信端末または情報通信端末によって、情報家電製品に対する制御を行うことができる。
【００３９】
請求項５に記載の発明によれば、サービスを利用しようとする者を認証することができる。また、サービスを振り分けることができる。
【００４０】
請求項６に記載の発明によれば、課金することができる。
【００４１】
請求項７に記載の発明によれば、前記のゲートウェイを介して、宅内と広域間で通信を行うことができる。
【００４２】
請求項８に記載の発明によれば、前記の情報家電製品もしくは前記のゲートウェイと前記のサービス制御サーバ装置間で、改竄や盗聴などが行われない安全な通信を行うことができる。
【００４３】
請求項９に記載の発明によれば、情報家電製品制御サーバ装置は、前記の機器識別情報に基づいて、前記の情報家電製品を直接に制御することができる。
【００４４】
請求項１０に記載の発明によれば、チケットに関する管理を行うことができる。
【００４５】
以上、これらを以って情報家電製品に対するサービスの分野に貢献することができる。
【発明を実施するための最良の形態】
【００４６】
以下、本発明の実施の形態における情報家電製品に対するサービス制御及び機器制御方法または装置を図面等に基づいて詳細に説明する。
【００４７】
まず、本実施の形態の概要を図１に基づいて説明する。図１中に記載された構成は、携帯電話網１２と接続されたＩＰ通信網１１において、利用者１が使用する移動情報通信端末（例えば、図１中の携帯電話２やＰＤＡ３）４または情報通信端末５，１８からのサービス要求をサービス提供事業者６が管理するサーバが受け、該サーバ内のサービス制御を介して、情報家電製品１５，１６，２５，２６が該サービスを受けることができるものである。
【００４８】
また、前記の構成は、サービス提供事業者６，情報家電メーカ１９，チケットサービス事業者（またはコンテンツ提供事業者）２２の各々が運営するサーバと、利用者１が使用する移動情報通信端末４または情報通信端末５と、情報家電製品１５，１６，２５，２６と、が前記のＩＰ通信網１１や携帯電話網１２に接続されており、相互に通信を行うことができる。なお、前記のチケットサービス事業者２２は、例えばコンテンツ提供事業者は提供するサービスのチケットを取り扱う事業者を示すものである。
【００４９】
図１中の利用者１は、移動情報通信端末４または情報通信端末５を介して、情報家電製品１５，１６，２５，２６に対して制御するサービス（以後、情報家電製品の制御サービスと称する）の契約をサービス提供事業者６に要求する。なお、移動情報通信端末４は、例えば、図１中の携帯電話２，無線通信（例えば、図１中の携帯電話網１２，無線ＬＡＮ）を介してＩＰ通信網１１と接続したＰＤＡ３が想定される。さらに、情報通信端末５においては、例えば、携帯電話２，前記の無線通信または有線通信を介してＩＰ通信網１１と接続したＰＤＡ３が想定される。
【００５０】
前記サービス提供事業者６が運営するサービス制御サーバ７内の管理プラットフォーム８は、前記利用者１からの情報家電製品の制御サービス契約に関する要求を受信すると、前記利用者１の利用者基本情報（例えば、名前，住所）及び利用者認証情報（サービス契約者のための認証情報；例えば、利用者識別子，ユーザＩＤ（Ｉｄｅｎｔｉｆｉｅｒ），パスワード）の登録を該利用者１に対して要求する。
【００５１】
次に、前記利用者１は、移動情報通信端末４または情報通信端末５を介して、前記の利用者基本情報と利用者認証情報を前記の管理プラットフォーム８に対して提示する。なお、前記の利用者認証情報は管理プラットフォーム８から利用者１に付与されても良い。
【００５２】
また、前記利用者１から、移動情報通信端末４または情報通信端末５を介して、情報家電製品の制御サービスの利用開始が管理プラットフォーム８に対して送信された場合には、該管理プラットフォーム８は該利用者１の移動情報通信端末４または情報通信端末５に対して利用者認証情報の提示を要求する。
【００５３】
次に、前記の利用者認証情報の提示要求を受けた利用者１は、該利用者１の利用者認証情報を管理プラットフォーム８に通知する。そして、前記管理プラットフォーム８は、情報家電製品の制御サービス契約時に登録された利用者１の利用者認証情報と、前記の通知された利用者認証情報を用いて認証を行い、該利用者１が契約者であることを確認（以後、利用者認証と称する）する。さらに、必要に応じて、サービス提供事業者６が運営する課金処理サーバ１０によって利用者１のサービス利用に関する課金処理を行う。
【００５４】
また、前記利用者１が情報家電製品に設定情報を設定させるサービス（以後、情報家電製品の設定サービスと称する）の利用要求を管理プラットフォーム８に対して送信した場合に、該管理プラットフォーム８は情報家電製品１５，１６，２５，２６の各々機器を識別するための情報（以後、機器識別情報と称する；例えば、メーカ名，機種名，機種番号，エイリアス名を含む情報）の入力を要求する。なお、図１では情報家電製品が該情報家電製品に関する設定情報を受けること（即ち、情報家電製品の設定サービス）を説明しているが、該情報家電製品が該情報家電製品に関する制御情報を受けること（以後、情報家電製品の制御サービスと称する）も可能である。
【００５５】
そして、利用者１は移動情報通信端末４または情報通信端末５によって、情報家電製品１５，１６，２５，２６の機器識別情報を機器識別情報取得手段（例えば、移動情報通信端末４または情報通信端末５に備えられた手段）によって取得し、管理プラットフォーム８に該機器識別情報を送信する。なお、前記の機器識別情報取得手段は多様に存在するが、例えば、移動情報通信端末４または情報通信端末５に備えられた撮影手段によって、前記の機器識別情報が符号化されたコード（例えば、２次元コード１７）を撮像し、該コードを復号して機器識別情報を取得する手段が挙げられる。また、移動情報通信端末４または情報通信端末５に備えられた赤外線通信手段を介して、前記の情報家電製品１５，１６，２５，２６と通信を行い、直接、機器識別情報を取得する手段が挙げられる。
【００５６】
次に、サービス制御サーバ７内の管理プラットフォーム８は、情報家電製品１５，１６，２５，２６の機器識別情報を受信した結果に応じて、情報家電メーカ１９が運営する情報設定管理サーバ２０を選択し、情報家電製品１５，１６，２５，２６に設定されるべき情報家電製品個別のネットワーク設定情報（例えば、ＩＰアドレス），情報設定管理サーバ２０が情報家電製品へアクセスするための機器制御用認証情報（例えば、ＩＤ，パスワード）の生成を要求する（即ち、情報家電製品に対して一意なネットワーク設定情報，機器制御用認証情報の生成を要求する）。なお、好ましくは、情報設定管理サーバ２０が機器識別情報，ネットワーク設定情報，機器制御用認証情報，機器識別情報に対応した機器設定情報を保管する手段（以後、機器情報保管手段と称する）２１を備えていると良い。そして、前記の要求を受けた情報設定管理サーバ２０は、情報家電製品１５，１６，２５，２６のためのネットワーク設定情報，機器制御用認証情報を生成（例えば、該情報を設定する制御メッセージとして生成）した後、該生成した内容を利用者１の移動情報通信端末４または情報通信端末５に対し、管理プラットフォーム８を経由して通知、或いは、直接通知する。
【００５７】
次に、前記の利用者１は、移動情報通信端末４または情報通信端末５で受信したネットワーク設定情報，機器制御用認証情報を、移動情報通信端末４または情報通信端末５に備えられた近距離無線通信（例えば、赤外線通信）を介して、情報家電製品１５，１６，２５，２６にロードすることによって自動的に前記のネットワーク設定情報，機器制御用認証情報の設定を行う。また、前記の設定が完了した時点で、前記の移動情報通信端末４または情報通信端末５は管理プラットフォーム８或いは情報設定管理サーバ２０に設定完了の通知を行っても良い。
【００５８】
また、前記の利用者認証の完了後に、利用者１が移動情報通信端末４または情報通信端末５を介してサービス（例えば、チケット対応のコンテンツ視聴サービス）の利用開始要求（即ち、チケット取得サービスの要求）を管理プラットフォーム８に送った場合、該管理プラットフォーム８は、サービス利用時に必要なチケットを、チケットサービス事業者２２が管理するチケット管理サーバ２３に対して要求する。
【００５９】
次に、前記のチケット管理サーバ２３は、前記の要求に対応したチケットを生成した後、該チケットを移動情報通信端末４または情報通信端末５に対し、管理プラットフォーム８を経由して通知、または、直接通知する。そして、前記のチケットを受けた移動情報通信端末４または情報通信端末５は、前記の近距離通信を介して、情報家電製品１５，１６，２５，２６に、該チケットを設定する。
【００６０】
次に、利用者１が前記のサービスを利用する際には、コンテンツ提供事業者２２或いは管理プラットフォーム８からチケット提示が要求され、該情報家電製品１５，１６，２５，２６により前記の設定されたチケットが提示される。そして、該チケットがコンテンツ提供事業者２２に確認される（以後、サービス認証と称する）と、前記利用者１は前記の情報家電製品１５，１６，２５，２６を介して、前記のサービスを利用することができる。なお、前記チケットには利用者識別情報が含まれていないため、例えば、出先の情報家電製品２５，２６に該チケットを設定する場合であっても、利用者１のプライバシは保護されることになる。
【００６１】
以上に、本実施の形態の概要を説明したが、以降では本実施の形態の構成を詳細に説明する。なお、以降の説明で図１中の符号と同じものの詳細な説明は省略する。まず、図２に基づいて、サービス提供事業者６が管理するサービス制御サーバ７内の管理プラットフォーム８の構成を詳細に説明する。
【００６２】
図２中の管理プラットフォーム８内には、主体として、管理プラットフォーム主部２７を有しており、さらに、該管理プラットフォーム主部２７内に、利用者インタフェース部２８，利用者情報管理部２９，対情報家電製品相互認証部３０，広域通信部３９を有する構造となっている。
【００６３】
前記の利用者インタフェース部２８においては、図示するように各手段（符号３１〜３５）を有する構造となっている。符号３２は、利用者から提示された機器識別情報から適した情報設定管理サーバ２０を選択し、または、サービスの利用開始要求から適したチケット管理サーバ２３を選択する手段（以後、サービス制御部選択手段と称する）を示すものである。符号３１は、情報設定管理サーバ２０への情報家電製品の設定または制御サービス要求及び該要求に対する結果を受領する手順と、チケット管理サーバ２３へのチケット取得サービス要求及び該要求に対する結果を受領する手順と、を行う手段（以後、サービス制御手段と称する）を示すものである。符号３５は、情報家電製品に関する状態の情報などを利用者１が認識可能な形式（例えば、Ｗｅｂ形式）で表示するための画面（例えば、ソースデータ）を構築する手段（以後、画面構築手段と称する）を示すものである。符号３４は利用者情報（含む、利用者基本情報）を取得する手段（以後、利用者情報取得手段と称する）を示すものであり、符号３３は、利用者情報管理部２９に対して利用者認証情報に基づく認証を依頼し、利用者認証の結果を受領する手段（以後、利用者認証要求手段と称する）を示すものである。
【００６４】
前記の利用者情報管理部２９においては、図示するように各手段を有する構造となっている。符号３６は、移動情報通信端末４または情報通信端末５を介し、管理プラットフォーム８に対してサービス要求を行った際に実施される認証（即ち、利用者１に対する認証）を扱う利用者認証処理手段を示すものである。符号３８は、利用者１が移動情報通信端末４または情報通信端末５を介して、管理プラットフォーム８に対して利用者１が提示した契約要求を受付する手段（以後、利用受付処理手段と称する）を示すものである。符号９は、該利用受付処理手段３８を介して取得した利用者基本情報及び利用者認証情報を保管する手段（以後、利用者情報保管手段と称する；例えば、利用者基本情報及び利用者認証情報をＤａｔａＢａｓｅに保管する手段）を示すものである。符号３７は、利用者認証処理手段３６からの要求に応じて、利用者基本情報と利用者認証情報を該利用者情報保管手段９から取り出して通知する手段（以後、利用情報管理手段と称する）を示すものである。
【００６５】
前記の対情報家電製品相互認証部３０においては、情報家電製品１５，１６，２５，２６或いはゲートウェイ（例えば、ホームゲートウェイ１４）と管理プラットフォーム主部２７の間の相互認証，ＩＰｓｅｃ（Ｓｅｃｕｒｉｔｙ  Ａｒｃｈｉｔｅｃｔｕｒｅ  ｆｏｒ  Ｉｎｔｅｒｎｅｔ  Ｐｒｏｔｏｃｏｌ）などのセキュリティアソシエーション構築を行うものである。
【００６６】
前記の広域通信部３９においては、有線あるいは無線通信手段を有し、広域のＩＰ通信を実現する機能を有するものである。
【００６７】
次に、図３に基づいて、情報家電メーカ１９が管理する情報設定管理サーバ２０の主部の構成を詳細に説明する。図３中における情報設定管理サーバ２０の主部内には、図示するように各手段を有する構造となっている。符号４０は、管理プラットフォーム８からの情報家電製品の設定サービス要求を受け取り、該要求の内容に従って情報家電製品（例えば、符号１５，１６，２５，２６で示す情報家電製品）に対するインターネット設定情報及び機器制御用認証情報を構築する手段（以後、設定情報構築手段と称する）を示すものである。符号４２は、管理プラットフォーム８からの要求に応じて該情報家電製品の制御（例えば、状態把握）を行う手段（以後、制御情報構築・解析手段と称する）を示すものである。符号４１は、前記の設定情報構築手段４０或いは該制御情報構築・解析手段４２に処理命令を送り、さらに、情報設定管理サーバ２０の主部を構成する各手段からの回答内容を管理プラットフォーム８に通知する手段（以後、機器制御要求処理手段と称する）を示すものである。なお、好ましくは、設定情報構築手段４０または制御情報構築・解析手段４２は、機器情報保管手段２１から情報家電製品に関する情報を取得するようにする。
【００６８】
符号４３は、制御情報構築・解析手段４２からの命令に応じて動作する手段であって、前記のインターネット設定情報及び機器制御用認証情報を用いて、情報家電製品のネットワーク上における位置を特定し、認証を行った後に前記情報家電製品へ制御メッセージ(例えば、該情報家電製品の状態を確認するための制御メッセージ)を発出したり、前記情報家電製品からの回答を受け取り、その回答を該制御情報構築・解析手段４２に回答する手段（以後、機器制御処理手段と称する）を示すものである。符号４４は、ＩＰ通信網１１を介して管理プラットフォーム８，前記の情報家電製品，移動情報通信端末４または情報通信端末５と通信する手段（広域通信手段）を示すものである。
【００６９】
次に、図４に基づいて、チケットサービス事業者（またはコンテンツ提供事業者）２２が管理するチケット管理サーバ２３の主部の構成を説明する。
【００７０】
図４中のチケット管理サーバ２３の主部には、サービス認証を行うサービス認証処理部４５が構成され、該サービス認証処理部４５は図示するように各手段を有する。符号４９は、管理プラットフォーム８，チケットサービス事業者２２からのチケット発行要求を受けてチケット発行を行い、チケットを保管したり、提出したりする手段（以後、チケット保管手段と称する）を示すものである。符号４８は、前記チケット保管手段４９に対し、チケットを管理する手段（以後、チケット管理手段と称する）４７を介して、チケットの保管を要請し、該要請に対する回答を取得し、さらに、発行されたチケットを広域通信部４６を介して管理プラットフォーム９，移動情報通信端末４または情報通信端末５に対して通知する手段（以後、チケット発行処理手段と称する）を示すものである。
【００７１】
符号５０は、管理プラットフォーム８或いはチケットサービス事業者２２からチケットを利用したサービスのための検証を要求された際に、チケット管理手段４７に対してチケット保管手段４９からのチケット取り出しを要求し、さらに、取り出したチケットを利用してサービス利用権の検証を行い、該認証結果を広域通信機能部４６を介して管理プラットフォーム８或いはチケットサービス事業者２２に通知する手段（以後、サービス認証処理手段と称する）を示すものである。なお、前記の利用権を検証する手段としては、例えば、チケット利用権情報に対して署名された電子署名を検証し、チケット利用権情報に含まれる日時情報を確認する手段が存在する。
【００７２】
次に、図５に基づいて、移動情報通信端末４または情報通信端末５に共通する主部５１を詳細に説明する。図５中の移動情報通信端末４または情報通信端末５に共通する主部５１内の利用者インタフェース部５２は、図示するように各手段を有する。符号５６は、管理プラットフォーム８で構築した画面（例えば、Ｗｅｂページ）を表示し、さらに、利用者１からの情報や要求（例えば、利用者認証情報，情報家電製品の設定または制御サービス要求）を該移動情報通信端末４または情報通信端末５に備えられた画面上で受け付ける手段（以後、画面インタフェース手段と称する）を示すものである。符号５７は、該画面インタフェース手段５６を介して受け取った情報家電製品の設定または制御サービス要求に関する処理を、管理プラットフォーム主部２７に対して通知する手段（以後、機器制御要求処理手段と称する）を示すものである。
【００７３】
符号５３は、前記の主部内の設定情報・チケット管理部を示すものであり、管理プラットフォーム８或いは情報設定サーバ２０から渡された設定情報（ネットワーク設定情報，機器制御用認証情報を含む設定情報），チケット管理サーバ２３から渡されたチケットに関して、登録，削除，更新，提示する手順を備える手段（以後、設定情報・チケット管理手段と称する）６０を有する構成となっている。前記の登録，削除，更新する手順においては、設定情報及びチケットを保管管理する手段（以後、設定情報・チケット管理手段）５９を使って行われる。前記の提示する手順においては、前記の該情報家電製品に設定する手段（以後、情報家電製品設定手段と称する）５８に対して行われるものであり、利用者インタフェース部５２からの要求に応じて前記の設定情報，チケットを送信可能な短距離無線通信を行う通信部（以後、短距離通信部）５５を介し、前記の該情報家電製品に設定する手段（以後、情報家電製品設定手段と称する）５８からの要求に応じて、前記の設定情報，チケットを、設定情報・チケット管理手段５９から取得し行われるものである。
【００７４】
なお、前記の主部内の広域通信部５４は、利用者インタフェース部５２からの要請に応じて、ＩＰ通信網１１を介して管理プラットフォーム８，情報設定管理サーバ２０，チケット管理サーバ２３とＩＰ通信を行うものである。
【００７５】
次に、図６に基づいて、情報家電製品１５，１６，２５，２６に共通する主部６１を詳細に説明する。
【００７６】
前記の情報家電製品に共通する主部６１内の設定情報・チケット管理部６２の設定情報・チケット管理手段６３は、以下に示す各手順を有し、情報家電製品内で、設定情報及びチケットの管理全般を司っているものである。該手順としては、まず、移動情報通信端末４または情報通信端末５に対して短距離無線通信を行う通信部（以後、短距離通信部と称する）６８を介して受け取った設定情報を、前記の情報家電製品に設定し、さらに、設定情報或いはチケットを保管及び提示を行う手段（以後、設定情報・チケット保管手段と称する）６６に対して該設定情報を格納する手順を有する。また、短距離通信部６８を介して受け取ったチケットを設定情報・チケット保管手段６６に格納し、さらに、該受け取ったチケットに基づいて、チケットサービス事業者２２或いは管理プラットフォーム８と移動情報通信端末４または情報通信端末５の間でサービス認証を行う部（以後、サービス認証処理部と称する）６４からの要請により、設定情報・チケット保管手段６６から該チケットを引き出して、該サービス認証処理部６４に渡す手順を有する。さらに、広域通信部６７を介して、機器制御用認証（即ち、情報家電製品が情報設定管理サーバからのアクセスを認証）を行い、情報設定管理サーバ２０から受け取った制御メッセージを、該制御メッセージに従って前記の情報家電製品の制御を行う部（以後、機器制御処理部と称する）６５に渡して、前記の情報家電製品の制御を行わせる手順を有する。
【００７７】
なお、前記の広域通信部６７は、ＩＰ通信網１１を介して管理プラットフォーム８，情報設定管理サーバ２０，チケット管理サーバ２３とＩＰ通信を行う部である。
【００７８】
以上に、本実施形態の構成を詳細に説明したが、以降では本実施の形態の手順（即ち、シーケンス）を詳細に説明する。なお、以降の説明において、図１から図６までの図中の符号と同じものの詳細な説明は省略する。また、移動情報通信端末４の一例として携帯電話２、情報家電製品の一例として情報家電製品１６（例えば、ＤＶＤ（Ｄｉｇｉｔａｌ  Ｖｅｒｓａｔｉｌｅ  Ｄｉｓｋ）レコーダ）を想定して説明する。
【００７９】
まず、図７及び図１１に基づいて、利用者認証から前記携帯電話２の基本メニュー表示までのシーケンスを説明する。図１１中の利用者１は携帯電話２を操作して、サービス提供事業者６が管理する管理プラットフォーム８に接続し、該携帯電話２にサービス画面を表示させ、該サービス画面中のメニュー番号２「設定・制御サービスの利用開始」を選択する（Ｓ１，Ｓ２４）。一方、前記の選択によってサービス開始要求を受けた管理プラットフォーム８は、利用者認証を実施するために、利用者認証情報の提示を利用者１に対して要求する（Ｓ２，Ｓ２５）。そして、前記の利用者１は携帯電話２を操作し、管理プラットフォーム８に利用者認証情報を提示する（Ｓ２６）。その結果、管理プラットフォーム８にて、利用者認証が成功すると、課金処理（Ｓ２７）を経て、管理プラットフォーム８が携帯電話２を介し、利用者１に対してメニュー画面を表示する（Ｓ３，Ｓ２８）。なお、以降の説明においても、図１１中のＳ２４からＳ２８のシーケンスと同じシーケンスを含むことになるため、該シーケンスを共通部処理シーケンスと称することとする。
【００８０】
さらに、図８及び図１２に基づいて、情報家電製品１６に対する設定シーケンスを説明する。まず、図１２中では共通部処理シーケンスが行われた後に、利用者１に関する利用者認証が成功すると、該利用者１は管理プラットフォーム８から携帯電話２を介してメニュー提示を受け、その後、情報家電製品の設定サービス要求を行う（Ｓ４，Ｓ２９）。そして、前記の要求を受けた管理プラットフォーム８は、設定すべき情報家電製品１６の機器識別情報を利用者１に対して要求する（Ｓ５，Ｓ３０）。
【００８１】
次に、前記の要求を受けた利用者１は、設定すべき情報家電製品１６の機器識別情報を機器識別情報取得手段によって取得する（Ｓ５，Ｓ３１，Ｓ３２）。そして、取得した機器識別情報は、利用者１の目視によって確認した後に、管理プラットフォーム８に対して送信される（Ｓ６，Ｓ３３）。なお、前記の機器識別情報は、機器識別情報取得手段の中で機器識別情報を導出するための情報を管理プラットフォーム８に対して送信し、該管理プラットフォーム８からの返信内容に基づいて、完全な機器識別情報を構成しても良い。
【００８２】
次に、前記の機器識別情報を受けた管理プラットフォーム８は、携帯電話２を介して前記の情報家電製品１６で利用可能なサービス選択画面を、利用者１に提示する（Ｓ７，Ｓ３４）。さらに、図８中では、ＩＰ通信網１１を介して、情報設定サーバ２０に対する接続のために必要なネットワーク設定情報及び機器制御用認証情報の取得を行うため、前記のサービス選択画面のメニュー番号１「ＮＷ（Ｎｅｔｗｏｒｋ；ネットワーク）接続設定」を選択し、管理プラットフォーム８にＮＷ接続設定要求を通知する（Ｓ７，Ｓ３５）。
【００８３】
次に、前記のＮＷ接続設定要求を受け取った管理プラットフォーム８は、前記の情報家電製品１６のためのネットワーク設定情報及び機器制御用認証情報の生成を、情報家電メーカ１９が管理する情報設定管理サーバ２０に要求する（Ｓ３６）。前記の情報設定管理サーバ２０は、情報家電製品１６に適したネットワーク設定情報及び機器制御用認証情報を生成した（Ｓ３７）後に、携帯電話２に対して、管理プラットフォーム８を経由して通知、または、直接通知する（Ｓ３８−ａ，Ｓ３８−ｂ）。
【００８４】
次に、利用者１は、受け取ったネットワーク設定情報及び機器制御用認証情報を、携帯電話２に備えられた短距離通信部による近距離無線通信を介して、情報家電製品１６に対してロードする。なお、前記のロード操作により、ＮＷ接続設定は完了することになる（Ｓ８，Ｓ３９）。
【００８５】
そして、前記のＮＷ接続設定が完了すると、情報家電製品１６が該設定完了を携帯電話２に通知し（Ｓ４０）、携帯電話２の画面にＮＷ接続設定が正常に完了したことが表示される（Ｓ９）。なお、携帯電話２から管理プラットフォーム８に対して、設定完了を通知しても良い（Ｓ４１，Ｓ４２）。
【００８６】
さらに、図９及び図１３に基づいて、情報家電製品１６に対する制御シーケンスを説明する。まず、図１３中では、共通部処理シーケンスが行われた後、利用者１は管理プラットフォーム８からのメニュー提示を受け（Ｓ１０）、情報家電製品の制御サービスの要求を行う（Ｓ４３）。前記の要求を受けた管理プラットフォーム８は、設定すべき情報家電製品１６の機器識別情報を利用者１に対して要求する（Ｓ１１）。
【００８７】
次に、利用者１は、図１２中の操作と同様に、前記の情報家電製品１６の機器識別情報を管理プラットフォーム８に通知する（Ｓ１２，Ｓ４６，Ｓ４７，Ｓ４８，Ｓ４９）。前記の情報家電製品の制御サービスの要求及び情報家電製品１６の機器識別情報を受けた管理プラットフォーム８は、情報家電製品１６で利用可能な制御（制御サービス）を、情報家電メーカ１９が管理する情報設定管理サーバ２０から取得する（Ｓ４４，Ｓ４５）。そして、前記の管理プラットフォーム８は、携帯電話２に対して前記の利用可能な制御を記したメニュー画面を表示させる（Ｓ１３，Ｓ５０）。
【００８８】
次に、利用者１は、携帯電話２を介して前記のような利用可能な制御サービス（項目）を記したメニュー画面の提示を受けた（Ｓ１３，Ｓ５０）後に、該制御サービス項目を選択して、希望する制御を通知することになる。この場合、例えば、図９中では該画面のメニュー番号１「予約設定」を選択する（Ｓ１３，Ｓ５１）。選択された制御サービス項目（即ち、図９中では予約設定制御）の要求を受けた管理プラットフォーム８は、情報家電メーカ１９が管理する情報設定管理サーバ２０に対して、情報家電製品１６の現在の状態をチェックするように要請する（Ｓ５２）。さらに、情報設定管理サーバ２０は、前記のネットワーク設定情報に基づきネットワーク上の位置を特定し、機器制御用認証情報に基づいた認証を行った後、情報家電製品１６にアクセスし、情報家電製品１６の状態を確認し（Ｓ５３，Ｓ５４）、前記の選択された制御が可能か否かを管理プラットフォーム８に通知する（Ｓ５５）。そして、該選択された制御が可能（即ち、図９中では予約設定制御が可能）であった場合に、管理プラットフォーム８は制御情報設定（即ち、図９中では予約設定）画面を携帯電話２に通知（例えば、Ｗｅｂ形式の画面表示で通知）する（Ｓ１４，Ｓ５６）。
【００８９】
次に、利用者１は、前記の予約設定画面に対して情報家電製品１６のための制御情報（例えば、録画する開始時刻及び終了時刻，録画チャンネル，録画モード）を入力し、管理プラットフォーム８に対し、該制御情報を含む制御要求（即ち、図９中では予約制御要求）を送信する（Ｓ１４，Ｓ５７）。前記の制御要求を受け取った管理プラットフォーム８は、該制御を情報設定管理サーバ２０に依頼する（Ｓ５８）。また、情報設定管理サーバ２０は、前記のネットワーク設定情報でネットワーク上の位置を特定し、機器制御用認証情報に基づいた認証を行い、情報家電製品１６にアクセスし、制御メッセージ（図９中では予約制御メッセージ）を情報家電製品１６に送信して、該情報家電製品１６の制御を行う（Ｓ５９，Ｓ６０）。そして、情報家電製品１６は制御の結果を、携帯電話２に対して、管理プラットフォーム８及び情報設定管理サーバ２０を経由して通知、或いは、直接通知する（Ｓ１５，Ｓ６１，Ｓ６２）。
【００９０】
さらに、図１０及び図１４に基づいて、チケット処理シーケンスを説明する。まず、図１４中では、共通部処理シーケンスが行われた後、利用者１は管理プラットフォーム８から提示されるメニュー画面からメニュー番号３「コンテンツサービス」を選択する（Ｓ１６，Ｓ６３）。前記の選択を行うと、携帯電話２からのコンテンツ情報サービス要求を受けた管理プラットフォーム８は、コンテンツ情報のメニューを提示する（Ｓ１７，Ｓ６６）。なお、前記のコンテンツ情報のメニューは、コンテンツ提供事業者２２に対して要求し、受け取ることもできる（Ｓ６４，Ｓ６５）。
【００９１】
次に、利用者１は、前記のコンテンツ情報のメニューから希望するコンテンツサービスを選択し、携帯電話２を介して、希望するコンテンツサービスチケット（即ち、チケット取得サービスを要求する）を管理プラットフォーム８に要求する（Ｓ１７，Ｓ６７）。これにより、管理プラットフォーム８は、携帯電話２を介して、情報家電製品（即ち、前記のコンテンツサービスを受けることが可能な機器）のための登録画面を利用者１に提示する（Ｓ１８，Ｓ１９，Ｓ６８）。そして、前記の提示を受けた利用者１は、機器識別情報取得手段を介して、情報家電製品２５の機器識別情報を取得し、管理プラットフォーム８に通知する（Ｓ１９，Ｓ２０，Ｓ６９，Ｓ７０，Ｓ７１，Ｓ７２，Ｓ７３）。
【００９２】
次に、前記の機器識別情報を受け取った管理プラットフォーム８は、課金確認を実施し（Ｓ２１）、さらに、課金処理（Ｓ７４）を実施した後、利用者１が要求したコンテンツサービスに関するチケット発行をチケット管理サーバ２３に対して依頼する（Ｓ７５）。これにより、前記のチケット発行の依頼を受けたチケット管理サーバ２３は、チケット発行とチケット登録を行い（Ｓ７６）、携帯電話２に対してコンテンツサービスのチケットを、管理プラットフォーム８を経由して提供、或いは、直接提供する（Ｓ２２，Ｓ７７−ａ，Ｓ７７−ｂ）。
【００９３】
次に、利用者１は、受け取ったチケットを携帯電話２に備えられた短距離通信部による近距離無線通信を介して、情報家電製品２５に登録する（Ｓ２２，Ｓ７８）。なお、情報家電製品２５は、前記のチケット登録が完了したことを、携帯電話２に通知（Ｓ２３，Ｓ７９）しても良い。なお、好ましくは、前記のチケットには、管理プラットフォーム８やチケット管理サーバ２３に対して通信を行うための情報（例えば、管理プラットフォーム８のネットワーク上の位置を示すアドレス）が含まれる。
【００９４】
次に、利用者１が情報家電製品２５を介してコンテンツサービスを要求した（Ｓ８０）場合に、前記の管理プラットフォーム８またはチケット管理サーバ２３は、情報家電製品２５に対してチケット提示を要求する（Ｓ８１）。なお、情報家電製品２５は、チケットに含まれている前記の管理プラットフォーム８またはチケット管理サーバ２３に関するアドレスに基づいて、該管理プラットフォーム８またはチケット管理サーバ２３と通信を行うことになる。
【００９５】
そして、チケット提示の要求を受けた情報家電製品２５は、登録されているチケット（即ち、前記のコンテンツサービスに対応したチケット）を前記の管理プラットフォーム８またはチケット管理サーバ２３に提示する（Ｓ８２）。これにより、チケット管理サーバ２３は、前記のチケットを検証し（Ｓ２３）、該検証が成功した場合には、コンテンツサービスを情報家電製品２５に提供する（Ｓ８３，Ｓ８４）。
【００９６】
以上、本実施の形態によれば、サービス提供事業者の利用者にネットワーク設定情報や機器制御用認証情報を利用者に渡す際、サービス提供事業者の管理プラットフォームと、移動情報通信端末または情報通信端末（例えば、携帯電話），情報家電製品に備えられた近距離無線通信と、を該利用者に使用させることによって、前記の移動情報通信端末または情報通信端末，情報家電製品が利用者に対するサービス購入画面を表示した状態を維持すると共に、ネットワーク設定情報（例えば、ＩＰアドレス），機器制御用認証情報（例えば、ＩＤ）を該利用者に意識させることがないように、情報家電製品に対し、該情報家電製品に係る情報を設定することができる。
【００９７】
また、前記のサービス制御サーバを管理するサービス提供事業者が前記の情報家電製品に対するサービスを提供する場合に、利用者に払いだす設定情報，認証情報，チケットを利用者情報（例えば、利用者認証情報）に関連付けない情報を扱うような役割になり、利用者のプライバシを確保しつつ、出先に設置された情報家電製品に前記のような設定情報，認証情報，チケットを設定することができる。
【００９８】
また、前記の管理プラットフォームを介して情報設定管理サーバに利用可能な制御を提示するように、前記の移動情報通信端末または情報通信端末，情報家電製品に要求させることによって、利用可能な制御を記したメニューを利用者に提示すること、さらに、前記の情報家電製品に対する制御においては独自プロトコルを適応すること、もできる。
【００９９】
そして、利用者は、移動情報通信端末（例えば、携帯電話，ＰＤＡ）または情報通信端末（例えば、パーソナルコンピュータ）を介し、前記のサービス制御サーバ内のサービス制御手段に対してサービス要求を送り、該サービス要求に対応したサービスを、前記の移動情報通信端末または情報通信端末を介して、前記の情報家電製品（例えば、利用者宅内に設置された情報家電製品）に受けさせることができる。
【０１００】
例えば、前記の情報家電製品に関する制御サービスを受けるために、識別情報（例えば、ネットワーク設定情報）または認証情報（例えば、機器制御用認証情報）を要求し、あるいは、サービス（例えば、コンテンツサービス）を受けるために、コンテンツ提供事業者が管理するサーバを利用するためのチケットを要求し、それらの情報やチケットを移動情報通信端末または情報通信端末内に入手した後、該移動情報通信端末または情報通信端末に備えられた近距離無線通信を介し、利用者宅内あるいは出先に設置された情報家電製品に対して設定することができる。このため、キーボードあるいはディスプレイのような利用者インタフェースが備えられていない情報家電製品でも、前記のような情報家電製品に対する制御やコンテンツサービスを利用するための情報を容易に設定することができる。
【０１０１】
また、前記のサービス制御サーバが、前記の機器制御要求処理手段に対する制御サービス要求を仲介することによって、利用者に対して画面インタフェース（例えば、Ｗｅｂ）を介した制御を提供することができる。
【０１０２】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【０１０３】
例えば、本実施の形態における変形例としては、移動情報通信端末または情報通信端末内に、無線ＩＣ（Ｉｎｔｅｇｒａｔｅｄ  Ｃｉｒｃｕｉｔ）チップを設置し、さらに、情報家電製品に前記の無線ＩＣチップに対応する読取装置を設置し、該無線ＩＣチップに、識別情報もしくは認証情報またはチケットを格納し、該読取装置によって、前記の識別情報もしくは認証情報またはチケットを読み取っても良い。
【図面の簡単な説明】
【０１０４】
【図１】本実施の形態における情報家電製品への設定，制御，サービス制御モデルの説明図。
【図２】本実施の形態における管理プラットフォーム主部の構成の説明図。
【図３】本実施の形態における情報設定管理サーバの構成の説明図。
【図４】本実施の形態におけるチケット管理サーバの構成の説明図。
【図５】本実施の形態における移動情報通信端末または情報通信端末主部の構成の説明図。
【図６】本実施の形態における情報家電製品主部の構成の説明図。
【図７】本実施の形態における利用者認証からメニュー表示までの画面遷移図。
【図８】本実施の形態における利用者の移動情報通信端末から情報家電製品に対する設定の時の画面遷移図。
【図９】本実施の形態における利用者の移動情報通信端末から情報家電製品に対する制御の時の画面遷移図。
【図１０】本実施の形態における利用者の移動情報通信端末から情報家電製品に対するチケット設定の時の画面遷移図。
【図１１】本実施の形態における利用者認証からメニュー表示までのシーケンス図。
【図１２】本実施の形態における利用者の移動情報通信端末から情報家電製品に対する設定の時のシーケンス図。
【図１３】本実施の形態における利用者の移動情報通信端末から情報家電製品に対する制御の時のシーケンス図。
【図１４】本実施の形態における利用者の移動情報通信端末から情報家電製品に対するチケット設定の時のシーケンス図。
【符号の説明】
【０１０５】
１…利用者
２…携帯電話
３…ＰＤＡ
４…移動情報通信端末
５…情報通信端末
６…サービス提供事業者
７…サービス制御サーバ
８…管理プラットフォーム
９…利用者情報保管手段
１０…課金処理サーバ
１１…ＩＰ通信網
１２…携帯電話網
１４…ホームゲートウェイ
１５，１６，２５，２６…情報家電製品
１７…２次元コード
１８…情報通信端末
１９…情報家電メーカ
２０…情報設定管理サーバ
２１…機器情報保管手段
２２…チケットサービス事業者或いはコンテンツ提供事業者
２３…チケット管理サーバ
２７…管理プラットフォーム主部
２８…利用者インタフェース部
２９…利用者情報管理部
３０…対情報家電製品相互認証部
３１…サービス制御手段
３２…サービス制御部選択手段
３３…利用者認証要求手段
３４…利用者情報取得手段
３５…画面構築手段
３６…利用者認証処理手段
３７…利用情報管理手段
３８…利用受付処理手段
３９…広域通信部
４０…設定情報構築手段
４１…機器制御要求処理手段
４２…制御情報構築・解析手段
４３…機器制御処理手段
４４…広域通信手段
４５…サービス認証処理部
４６…広域通信部
４７…チケット管理手段
４８…チケット発行処理手段
４９…チケット保管手段
５０…サービス認証処理手段
５１…移動情報通信端末主部
５２…利用者インタフェース部
５３…設定情報・チケット管理部
５４…広域通信部
５５…短距離通信部
５６…画面インタフェース手段
５７…機器制御要求処理手段
５８…情報家電製品設定手段
５９…設定情報・チケット保管手段
６０…設定情報・チケット管理手段
６１…情報家電製品主部
６２…設定情報・チケット管理部
６３…設定情報・チケット手段
６４…サービス認証処理部
６５…機器制御処理部
６６…設定情報・チケット保管手段
６７…広域通信部
６８…短距離通信部
【図２】
2007004579.tif 000003
【図３】
2007004579.tif 000004
【図４】
2007004579.tif 000005
【図５】
2007004579.tif 000006
【図６】
2007004579.tif 000007
【図７】
2007004579.tif 000008
【図８】
2007004579.tif 000009
【図９】
2007004579.tif 000010
【図１０】
2007004579.tif 000011
【図１１】
2007004579.tif 000012
【図１２】
2007004579.tif 000013
【図１３】
2007004579.tif 000014
【図１４】
2007004579.tif 000015
【図１】
2007004579.tif 000016